(57)【要約】【課題】ミキサドラム内の生コンクリート量の推定精度を向上させる。【解決手段】生コンクリート量推定装置１００，２００は、カメラ２０と、カメラ２０が撮像した撮像画像６０から露出領域６１を抽出する画像処理部３１と、画像処理部３１が抽出した露出領域６１に基づきミキサドラム２内の生コン量を推定する推定部３２と、を備える。画像処理部３１は、ミキサドラム２の底部に設けられる円錐状のカバー部材８をカメラ２０の撮像方向に投影した投影円８ｃ内の領域を、撮像画像６０から露出領域６１として抽出する。【選択図】図５
2019025680.tif 000002
【特許請求の範囲】
【請求項１】
ミキサ車に回転可能に搭載されるミキサドラム内の生コンクリート量を推定する生コンクリート量推定装置であって、
前記ミキサドラム内を撮像可能な撮像部と、
前記撮像部が撮像した撮像画像から前記ミキサドラム内の生コンクリート量を推定するための推定領域を画像処理によって抽出する画像処理部と、
前記画像処理部が抽出した前記推定領域に基づき前記ミキサドラム内の生コンクリート量を推定する推定部と、を備え、
前記画像処理部は、中心軸が前記ミキサドラムの回転軸と同軸となるように前記ミキサドラムの底部に設けられる円錐状のカバー部材の円錐面を前記撮像部の撮像方向に投影した投影面内の領域を、前記撮像画像から前記推定領域として抽出することを特徴とする生コンクリート量推定装置。
【請求項２】
前記推定領域の大きさと前記ミキサドラム内の生コンクリート量との相関性を示すマップが記憶された記憶部をさらに備え、
前記推定部は、前記マップを用いて前記ミキサドラム内の生コンクリート量を推定することを特徴とする請求項１に記載の生コンクリート量推定装置。
【請求項３】
前記ミキサドラム内に投入された生コンクリート量が入力される入力部をさらに備え、
前記マップは、前記入力部に生コンクリート量が入力されたときに前記撮像部により撮像された撮像画像から前記画像処理部により抽出された前記推定領域の大きさと、前記入力部に入力された生コンクリート量と、に基づき更新されることを特徴とする請求項２に記載の生コンクリート量推定装置。
【請求項４】
前記ミキサドラム内に光を照射する光源部をさらに備えることを特徴とする請求項１から３の何れか１つに記載の生コンクリート量推定装置。
【請求項５】
請求項１から４のいずれか１つに記載の生コンクリート量推定装置を備えることを特徴とするミキサ車。
【請求項６】
ミキサ車に回転可能に搭載されるミキサドラム内の生コンクリート量を推定する生コンクリート量推定方法であって、
撮像部により撮像された前記ミキサドラム内の撮像画像を取り込む取り込みステップと、
取り込まれた前記撮像画像から前記ミキサドラム内の生コンクリート量を推定するための推定領域を画像処理によって抽出する抽出ステップと、
抽出された前記推定領域から前記ミキサドラム内の生コンクリート量を推定する推定ステップと、を含み、
前記抽出ステップでは、中心軸が前記ミキサドラムの回転軸と同軸となるように前記ミキサドラムの底部に設けられる円錐状のカバー部材の円錐面を前記撮像部の撮像方向に投影した投影面内の領域が、前記撮像画像から前記推定領域として抽出されることを特徴とする生コンクリート量推定方法。
【発明の詳細な説明】
【技術分野】
【０００１】
本発明は、ミキサドラム内の生コンクリート量を推定する装置、これを備えたミキサ車、及び、ミキサドラム内の生コンクリート量を推定する方法に関するものである。
【背景技術】
【０００２】
特許文献１には、モルタルやレディミクストコンクリート等のいわゆる生コンクリートを内容物として積載可能なミキサドラムを備えるミキサ車において、ミキサドラム内の生コンクリート量を推定する生コンクリート量推定装置が開示されている。この生コンクリート量推定装置では、ミキサドラム内を撮像した撮像画像において生コンクリートが占める面積やブレードが占める面積に基づいて生コンクリート量が推定される。
【先行技術文献】
【特許文献】
【０００３】
【特許文献１】特開２０１６−６８５３０号公報
【発明の概要】
【発明が解決しようとする課題】
【０００４】
しかしながら、特許文献１に記載の生コンクリート量推定装置では、撮像画像における生コンクリートの形状やブレードの形状は、複数の曲線が入り組んだ幾何学的に複雑な形状となる。このため、生コンクリートが占める領域やブレードが占める領域を識別することが難しく、領域の面積を演算する際に誤差が生じ、結果として、生コンクリート量の推定精度が低下するおそれがある。
【０００５】
また、幾何学的に複雑な形状を認識するには、撮像画像の画素数を高くし、領域を識別する処理能力を向上させることが考えられる。しかしながら、このような処理を行うには、解像度が高い撮像装置を用いるとともに、高い処理能力を有するマイクロコンピュータを用いる必要があるため、結果として、生コンクリート量推定装置の製造コストを上昇させるおそれがある。
【０００６】
本発明は、上記の問題点に鑑みてなされたものであり、製造コストを上昇させることなく、ミキサドラム内の生コンクリート量の推定精度を向上させることを目的とする。
【課題を解決するための手段】
【０００７】
第１の発明は、ミキサドラム内を撮像可能な撮像部と、撮像部が撮像した撮像画像からミキサドラム内の生コンクリート量を推定するための推定領域を画像処理によって抽出する画像処理部と、画像処理部が抽出した推定領域に基づきミキサドラム内の生コンクリート量を推定する推定部と、を備え、画像処理部は、中心軸がミキサドラムの回転軸と同軸となるようにミキサドラムの底部に設けられる円錐状のカバー部材の円錐面を撮像部の撮像方向に投影した投影面内の領域を、撮像画像から推定領域として抽出することを特徴とする。
【０００８】
第１の発明では、ミキサドラム内の生コンクリート量の推定が、円錐状のカバー部材の円錐面を撮像部の撮像方向に投影した投影面における推定領域に基づいて行われる。このように、第１の発明では、ミキサドラム内の生コンクリート量の推定に用いられる推定領域として、幾何学的に単純な形状であり画像処理において認識されやすい円形の領域が採用される。このため、推定領域を識別する画像処理時に生じる誤差が低減されるとともに、比較的低い処理能力を有するマイクロコンピュータであっても十分に推定領域を識別することが可能である。
【０００９】
第２の発明は、推定領域の大きさとミキサドラム内の生コンクリート量との相関性を示すマップが記憶された記憶部をさらに備え、推定部は、マップを用いてミキサドラム内の生コンクリート量を推定することを特徴とする。
【００１０】
第２の発明では、推定領域の大きさとミキサドラム内の生コンクリート量との相関性を示すマップを用いてミキサドラム内の生コンクリート量が推定される。このように、円錐状のカバー部材の投影面における推定領域の大きさが演算されれば、予め設定されたマップを用いて容易に生コンクリート量を推定することができる。
【００１１】
第３の発明は、ミキサドラム内に投入された生コンクリート量が入力される入力部をさらに備え、マップは、入力部に生コンクリート量が入力されたときに撮像部により撮像された撮像画像から画像処理部により抽出された推定領域の大きさと、入力部に入力された生コンクリート量と、に基づき更新されることを特徴とする。
【００１２】
第３の発明では、マップは、入力された生コンクリート量と、生コンクリート量が入力された時の推定領域の大きさと、に基づき更新される。このように、ミキサドラム内の生コンクリート量の推定に用いられるマップは、ミキサ車毎に更新可能である。このため、ミキサドラムの個体差に起因する推定量の誤差が低減され、結果として、ミキサドラム内の生コンクリート量の推定精度を向上させることができる。
【００１３】
第４の発明は、ミキサドラム内に光を照射する光源部をさらに備えることを特徴とする。
【００１４】
第４の発明では、光源部によってミキサドラム内に光が照射される。このため、ミキサドラム内に明暗が生じ、推定領域を容易に識別することが可能となる。この結果、ミキサドラム内の生コンクリート量の推定精度を向上させることができる。
【００１５】
第５の発明は、ミキサ車が第１から第４の発明の生コンクリート量推定装置を備えることを特徴とする。
【００１６】
第５の発明では、ミキサ車が、生コンクリート量推定装置を備える。このため、ミキサ車のミキサドラム内の生コンクリート量を低コストで精度よく把握することができる。
【００１７】
第６の発明は、撮像部により撮像されたミキサドラム内の撮像画像を取り込む取り込みステップと、取り込まれた撮像画像からミキサドラム内の生コンクリート量を推定するための推定領域を画像処理によって抽出する抽出ステップと、抽出された推定領域からミキサドラム内の生コンクリート量を推定する推定ステップと、を含み、抽出ステップでは、中心軸がミキサドラムの回転軸と同軸となるようにミキサドラムの底部に設けられる円錐状のカバー部材の円錐面を撮像部の撮像方向に投影した投影面内の領域が、撮像画像から推定領域として抽出されることを特徴とする。
【００１８】
第６の発明では、抽出ステップにおいて、円錐状のカバー部材の円錐面を撮像部の撮像方向に投影した投影面内の領域が推定領域として抽出される。このように、第６の発明では、ミキサドラム内の生コンクリート量の推定に用いられる推定領域として、幾何学的に単純な形状であり画像処理において認識されやすい円形の領域が採用される。このため、推定領域を識別する画像処理時に生じる誤差が低減されるとともに、比較的低い処理能力を有するマイクロコンピュータであっても十分に推定領域を識別することが可能である。
【発明の効果】
【００１９】
本発明によれば、製造コストを上昇させることなく、ミキサドラム内の生コンクリート量の推定精度を向上させることができる。
【図面の簡単な説明】
【００２０】
【図１】本発明の第１実施形態に係る生コンクリート量推定装置を搭載したミキサ車の側面図である。
【図２】本発明の第１実施形態に係る生コンクリート量推定装置を搭載したミキサ車のミキサドラムを部分的に拡大して示した図である。
【図３】本発明の第１実施形態に係る生コンクリート量推定装置を示すブロック図である。
【図４】本発明の第１実施形態に係る生コンクリート量推定装置を搭載したミキサ車のホッパー部分を拡大した図である。
【図５】本発明の第１実施形態に係る生コンクリート量推定装置の撮像部がミキサドラム内を撮像した撮像画像を示す図である。
【図６】推定領域の面積と生コンクリート量との関係を表すマップである。
【図７】本発明の第１実施形態に係る生コンクリート量推定装置において生コンクリート量を推定する際のフローチャートである。
【図８】推定領域の面積と生コンクリート量との関係を表すマップの更新方法を説明するための図である。
【図９】本発明の第１実施形態に係る生コンクリート量推定装置の撮像部がミキサドラム内を撮像した撮像画像を示す図である。
【図１０】スランプ値に応じた推定領域の面積と生コンクリート量との関係を表すマップである。
【図１１】本発明の第１実施形態に係る生コンクリート量推定装置を利用した生コンクリート配送システムの概念図である。
【図１２】本発明の第２実施形態に係る生コンクリート量推定装置が適用されるミキサ車の側面図である。
【図１３】本発明の第２実施形態に係る生コンクリート量推定装置及び生コンクリート量推定装置の撮像部がミキサドラム内を撮像した撮像画像を示す図である。
【発明を実施するための形態】
【００２１】
以下、図面を参照して、本発明の実施形態に係る生コンクリート量推定装置について説明する。
【００２２】
＜第１実施形態＞
まず、図１を参照して、生コンクリート量推定装置１００を備えるミキサ車１０の全体構成について説明する。
【００２３】
ミキサ車１０は、ミキサドラム２内に投入されたモルタルやレディミクストコンクリート等のいわゆる生コンクリート（以下、「生コン」と称する。）を運搬する車両である。以下の説明では、ミキサ車１０が積載物として生コンを積載する場合について説明する。
【００２４】
図１に示すように、ミキサ車１０は、車両の前後方向に延びる架台１と、架台１上に回転自在に搭載されるミキサドラム２と、ミキサドラム２を回転駆動するドラム駆動装置７と、外部から投入される生コンをミキサドラム２内へと導くホッパー４と、ミキサドラム２から排出される生コンを所定位置に誘導するシュート５と、を備える。
【００２５】
ミキサドラム２は、回転軸Ｃ１を中心として回転する円筒状容器であり、車両後方側の後端部には生コンの投入と排出とが行われる開口部２ａが設けられ、車両前方側の前端部には回転軸Ｃ１に沿って外部に向かって延在する駆動軸９が設けられる。ミキサドラム２は、開口部２ａが設けられる後端部側が前端部側よりも上方に持ち上げられた状態で架台１に支持される。
【００２６】
ミキサドラム２の駆動軸９は、ドラム駆動装置７内に設けられる油圧モータ（図示省略）にギアボックス（図示省略）を介して連結される。このため、ミキサドラム２は、油圧モータによって正回転方向又は逆回転方向に回転駆動される。なお、ミキサドラム２の駆動軸９は、ギアボックスを介してミキサ車１０の走行用エンジン（図示省略）に連結されてもよく、この場合、ミキサドラム２は走行用エンジンによって回転駆動される。
【００２７】
ミキサドラム２内には、一対のブレード３ａ，３ｂがミキサドラム２の内壁面に沿って螺旋状に配設されている。一対のブレード３ａ，３ｂがミキサドラム２とともに回転することによって、ミキサドラム２内に投入された生コンの攪拌等が行われる。
【００２８】
また、ミキサドラム２の前端部の内側である底部には、図２に示すように、駆動軸９の端部を覆うように円錐状のカバー部材８が設けられる。カバー部材８は、その頂部８ａがミキサドラム２内に向かって突出するとともに、その中心軸Ｃ２がミキサドラム２の回転軸Ｃ１と同軸となるようにミキサドラム２の内壁面に固定される。なお、カバー部材８の中心軸Ｃ２とミキサドラム２の回転軸Ｃ１とは、厳密に一致している必要はなく、これらは互いにわずかにずれていてもよい。また、カバー部材８の円錐面８ｂの傾きは頂部８ａに向かって一定である必要はなく、頂部８ａに向かって徐々に緩やかになっていてもよい。つまり、カバー部材８の頂部８ａは尖っている必要はなく、丸みを帯びた形状となっていてもよい。
【００２９】
ホッパー４は、ミキサ車１０の上方から投入される生コンをミキサドラム２内へと導くためにミキサドラム２の開口部２ａの上方に配置される。ホッパー４の上部には、ホッパー４の開口を覆うホッパーカバー６がヒンジ６ａを介して回動自在に設けられる。一方で、ミキサドラム２の開口部２ａの下方には、ミキサドラム２から排出される生コンを所定位置に誘導するために、シュート５が配置される。
【００３０】
上記構成のミキサ車１０において、ミキサドラム２が車両後方から見て左回転である正回転方向に回転駆動されると、ブレード３ａ，３ｂは、ミキサドラム２内の生コンを攪拌しながらミキサドラム２の前方へと移動させる。一方、ミキサドラム２が逆回転方向に回転駆動されると、ブレード３ａ，３ｂは、生コンを攪拌しながらミキサドラム２の後方へと移動させる。このようにミキサドラム２を逆回転させることで、ミキサドラム２の開口部２ａから生コンを排出させることができる。ミキサドラム２の開口部２ａから排出された生コンは、シュート５を介して所定位置に誘導される。
【００３１】
また、ホッパー４を介してミキサドラム２内に生コンが投入される際には、攪拌時よりもミキサドラム２を高速で正回転させて、投入された生コンを速やかにミキサドラム２の前方へと移動させる。なお、車両後方から見て右方向への回転が正回転方向となるようにブレード３ａ，３ｂを配置してもよい。
【００３２】
次に、ミキサドラム２内の生コン量を推定する生コンクリート量推定装置１００について説明する。
【００３３】
図３に示すように、生コンクリート量推定装置１００は、ミキサドラム２内を撮像可能な撮像部としてのカメラ２０と、カメラ２０が撮像した撮像画像６０から生コン量を推定するコントローラ３０と、コントローラ３０が推定した生コン量を表示する表示部４０と、ミキサドラム２内に投入された生コン量を入力する入力部５０と、を備える。
【００３４】
カメラ２０は、図４に示すように、ホッパーカバー６がホッパー４の開口を閉じた状態においてホッパー４内に収容されるように、支持部材２１を介してホッパーカバー６に取り付けられる。つまり、カメラ２０は、ホッパーカバー６がホッパー４の開口を閉じた状態において、ミキサドラム２の開口部２ａを通じてミキサドラム２の内部を撮像することが可能となる。このため、ホッパーカバー６の開閉を検知する図示しない開閉検知センサを設けることで、カメラ２０が撮像可能な状態にあるか否かが検知される。
【００３５】
このようにホッパーカバー６に設けられたカメラ２０によって、図５に示すようなミキサドラム２内の撮像画像６０が撮像される。カメラ２０によって撮像された撮像画像６０は、有線又は無線の通信手段によって、コントローラ３０へ送信される。なお、カメラ２０で撮像される撮像画像６０は、静止画であってもよいし、動画の中から抜き出された一つのフレームを静止画としたものであってもよい。
【００３６】
また、カメラ２０の近くには、光を照射する光源部としての光源２２が設けられる。光源２２は、カメラ２０と共にホッパーカバー６に取り付けられ、開口部２ａを通じてミキサドラム２内に光を照射する。このため、ミキサドラム２内に明暗が生じ、生コンの表面やミキサドラム２の内壁面、ミキサドラム２の底部に設けられたカバー部材８を視認することができる。特に、光源２２側から見るとカバー部材８の円錐面８ｂは傾いており、光源２２からカバー部材８へ照射された光は正反射することがないため、カバー部材８は周囲と比較し暗部となる。光源２２としては、例えばＬＥＤライトなどを使用することができる。なお、光源２２はカメラ２０と一体化されていてもよい。
【００３７】
コントローラ３０は、ＣＰＵ（中央演算処理装置）、ＲＯＭ（リードオンリメモリ）、ＲＡＭ（ランダムアクセスメモリ）、及びＩ／Ｏインターフェース（入出力インターフェース）を備えたマイクロコンピュータで構成され、運転席等の浸水のおそれが低い箇所に配置される。ＲＡＭはＣＰＵの処理におけるデータを記憶し、ＲＯＭはＣＰＵの制御プログラム等を予め記憶し、Ｉ／Ｏインターフェースは接続された機器との情報の入出力に使用される。コントローラ３０は、複数のマイクロコンピュータで構成されていてもよい。
【００３８】
コントローラ３０は、図３に示すように、生コン量を推定するための推定領域をカメラ２０が撮像した撮像画像６０から画像処理によって抽出する画像処理部３１と、画像処理部３１が抽出した推定領域からミキサドラム２内の生コン量を推定する推定部３２と、生コン量を推定するためのマップ等の情報を記憶する記憶部としての情報記憶部３３と、情報記憶部３３に記憶されるマップ等の情報を作成及び更新する作成更新部３４と、を有する。なお、画像処理部３１，推定部３２，情報記憶部３３及び作成更新部３４は、コントローラ３０の各機能を、仮想的なユニットとして示したものであり、物理的に存在することを意味するものではない。
【００３９】
画像処理部３１は、回転軸Ｃ１方向とほぼ一致するカメラ２０の撮像方向にカバー部材８の円錐面８ｂを投影した投影面である投影円８ｃ内の領域のうち生コン表面６２から露出している露出領域６１を推定領域として撮像画像６０から抽出する。
【００４０】
ここで、生コン表面６２から露出するカバー部材８の円錐面８ｂは、上述のように、光源２２からの光を正反射しないため、カバー部材８の円錐面８ｂを投影した投影面である投影円８ｃは撮像画像６０において比較的暗部となる。一方で、生コン表面６２は乱反射が生じることによって撮像画像６０において比較的明部となる。また、カバー部材８がミキサドラム２の内面に接合される部分には、わずかながら光源２２の照射方向に対して直交する面が形成されるため、投影円８ｃの周囲には撮像画像６０において明部となる部分が生じる。
【００４１】
このため、画像処理部３１では、撮像画像６０を輝度によって二値化処理することで、投影円８ｃのうち生コン表面６２から露出した露出領域６１を暗部として抽出することが可能である。具体的には、図５に示される撮像画像６０では、投影円８ｃの外縁の一部である円弧状の露出外縁８ｄを含む暗部が露出領域６１として画像処理部３１により抽出される。なお、カバー部材８が生コン表面６２から完全に露出している場合には、露出外縁８ｄは円弧状ではなく円形状となるため、露出外縁８ｄを含む露出領域６１は画像処理部３１により略円形状の領域として抽出される。
【００４２】
また、カバー部材８の頂部８ａが生コン表面６２から露出している場合、頂部８ａ付近は光源２２からの光を正反射し、露出領域６１に含まれるにも関わらず明部となる。このため、画像処理部３１は、露出外縁８ｄと生コン表面６２とに囲まれる領域、すなわち、露出領域６１である可能性が高い領域内に明部がある場合、この部分を暗部に置き換えて処理する。
【００４３】
推定部３２は、画像処理部３１が抽出した露出領域６１の撮像画像６０における面積を演算するとともに、情報記憶部３３に格納されたマップを用いて、演算された露出領域６１の面積に相当するミキサドラム２内の生コンの量を求める。このように、推定部３２では、画像処理部３１が抽出した露出領域６１に基づきミキサドラム２内の生コン量が推定される。
【００４４】
情報記憶部３３には、図６に示されるような、露出領域６１の面積とミキサドラム２内の生コンの量との相関性を示すマップが格納される。図６のマップによれば、露出領域６１の面積が小さいほどミキサドラム２内の生コンの量は多く、露出領域６１の面積が大きいほどミキサドラム２内の生コンの量は少なくなる。情報記憶部３３には、この他にも、画像処理部３１において二値化された画像等が記憶される。
【００４５】
作成更新部３４は、情報記憶部３３に記憶される露出領域６１の面積とミキサドラム２内の生コンの量との相関性を示すマップを後述の作成方法によって作成するとともに、後述の更新方法によって更新する機能を有する。
【００４６】
表示部４０は、運転席等に設けられたモニタであり、コントローラ３０の推定部３２で推定された生コン量を表示する。推定部３２で推定された生コン量は、有線又は無線の通信手段によって表示部４０に送信され、作業者は、表示部４０を介してミキサドラム２内の生コン量を確認することができる。
【００４７】
入力部５０は、作業者が生コン量や生コンのスランプ値といった生コンの情報を入力する端末であり、表示部４０とともに運転席等に設けられる。入力部５０を介して入力された生コン量等の情報は、有線又は無線の通信手段によってコントローラ３０に送信される。特に入力された生コン量は、作成更新部３４において露出領域６１の面積と生コン量との相関性を示すマップを作成または更新する際に用いられる。なお、入力部５０への生コン量等の入力は、ミキサドラム２内に投入された生コンの情報が既知である場合、例えば、コンクリート工場においてミキサ車１０に投入される生コン量が正確に測定される場合などに行われる。
【００４８】
次に、図７を参照して、生コンクリート量推定装置１００の生コン量推定方法について説明する。
【００４９】
まず、ステップＳ１１において、カメラ２０により撮像された撮像画像６０がコントローラ３０に取り込まれる。カメラ２０がホッパー４内に収容された状態、すなわち、ホッパー４の開口がホッパーカバー６により閉じられた状態であることが開閉検知センサにより検知されると、カメラ２０による撮像が行われる。カメラ２０により撮像が行われるタイミングとしては、ホッパーカバー６が閉じられたことが開閉検知センサにより検知されたタイミングであってもよいし、ホッパーカバー６が閉じられた状態において、さらに図示しない撮像開始スイッチ等が作業者により操作されたタイミングであってもよい。
【００５０】
次に、ステップＳ１２では、取り込まれた撮像画像６０において生コン表面６２から露出する露出領域６１が推定領域として画像処理部３１により抽出される。抽出された露出領域６１に関するデータは、情報記憶部３３に記録されるとともに、推定部に３２に送られる。
【００５１】
続くステップＳ１３では、推定部３２によって、画像処理部３１が抽出した露出領域６１の撮像画像６０における面積が演算される。さらに、このステップでは、情報記憶部３３に格納された露出領域６１の面積とミキサドラム２内の生コンの量との相関性を示すマップが推定部３２に読み込まれ、演算された露出領域６１の面積に相当するミキサドラム２内の生コンの量がこのマップを用いて求められる。
【００５２】
ここで、ミキサドラム２内の生コン量の推定に用いられる露出領域６１の面積とミキサドラム２内の生コンの量との相関性を示すマップの作成について説明する。このマップは、作成更新部３４によって予め作成される。
【００５３】
まず、図示しない初期設定スイッチが作業者により操作されると、コントローラ３０は、露出領域６１の面積とミキサドラム２内の生コンの量との相関性を示すマップを作成する状態となる。
【００５４】
続いて、カバー部材８が生コン表面６２から完全に露出した状態が維持される範囲で、または、カバー部材８の極一部が生コンに覆われる程度にミキサドラム２内に生コンを投入したときの生コン量が入力部５０を介して作業者により入力される。
【００５５】
コントローラ３０は、入力部５０を介して生コン量が入力されると、カメラ２０によりミキサドラム２内を撮像させ、画像処理部３１により撮像された撮像画像６０から露出領域６１を抽出するとともに、推定部３２によって露出領域６１の撮像画像６０における面積を演算させる。
【００５６】
このときの露出領域６１の面積は、ほぼ最大の大きさとなることから、入力された生コン量と露出領域６１の面積とから、図６に示される最大面積点Ｐ１が設定される。
【００５７】
最大面積点Ｐ１が設定されると、続いて、最小面積点Ｐ２の設定が行われる。
【００５８】
最小面積点Ｐ２の設定では、カバー部材８が生コンに完全に覆われるように、または、カバー部材８の極一部が生コン表面６２から露出する程度にミキサドラム２内に生コンを投入したときの生コン量が入力部５０を介して作業者により入力される。
【００５９】
この場合もコントローラ３０は、入力部５０を介して生コン量が入力されると、カメラ２０によりミキサドラム２内を撮像させ、画像処理部３１により撮像された撮像画像６０から露出領域６１を抽出するとともに、推定部３２によって露出領域６１の撮像画像６０における面積を演算させる。
【００６０】
このときの露出領域６１の面積は、ほぼ最小の大きさとなることから、入力された生コン量と露出領域６１の面積とから、図６に示される最小面積点Ｐ２が設定される。
【００６１】
このように、最大面積点Ｐ１と最小面積点Ｐ２とが設定されると、作成更新部３４は、二点間を補間し、図６に示されるようなマップを作成する。作成されたマップは、情報記憶部３３に格納される。
【００６２】
マップの作成は、ミキサ車１０ごとに行われてもよいし、同じ型式のミキサドラム２を有するミキサ車１０のうちの１台において行い、マップを流用してもよい。また、最大面積点Ｐ１と最小面積点Ｐ２との２点ではなく、３点以上の複数点において露出領域６１の面積とミキサドラム２内の生コンの量と相関性を演算することによってより精度の高いマップを作成してもよい。
【００６３】
このように作成されたマップを用いることで、ステップＳ１３において演算された露出領域６１の面積が、例えば、演算面積Ｓ１であった場合、推定部３２では、図６に示すように、演算面積Ｓ１相当する推定生コン量Ｖ１をマップから読み取り、推定生コン量Ｖ１をミキサドラム２内の生コンの量として推定する。推定部３２で推定された推定生コン量Ｖ１は、表示部４０にミキサドラム２内の生コンの残量として表示される。
【００６４】
続いて、作成更新部３４によるマップの更新について説明する。
【００６５】
例えば、他のミキサ車１０で設定されたマップを流用した場合には、ミキサドラム２の個体差により推定される生コンの量に誤差が生じるおそれがある。また、最大面積点Ｐ１と最小面積点Ｐ２との２点のみでマップを作成した場合、これらの中間点において推定される生コンの量に誤差が生じるおそれがある。このような誤差を低減するため、ミキサドラム２内に投入された生コン量が正確に把握できる場合、例えば、コンクリート工場においてミキサ車１０に投入される生コン量が正確に測定される場合に、マップの更新が行われる。
【００６６】
具体的には、図示しないマップ更新スイッチが作業者により操作されると、コントローラ３０は、露出領域６１の面積とミキサドラム２内の生コンの量との相関性を示すマップを更新する状態となる。
【００６７】
この状態において、ミキサドラム２内に投入された生コン量が入力部５０を介して作業者により入力されると、コントローラ３０は、カメラ２０によりミキサドラム２内を撮像させ、画像処理部３１により撮像された撮像画像６０から露出領域６１を抽出するとともに、推定部３２によって露出領域６１の撮像画像６０における面積を演算させる。
【００６８】
演算された露出領域６１の更新面積Ｓｒと、入力された計測生コン量Ｖｒと、に基づき作成更新部３４は、情報記憶部３３に格納されたマップを更新する。具体的には、図８に示されるように、計測生コン量Ｖｒに相当する露出領域６１の面積を更新面積Ｓｒに変更し、最大面積点Ｐ１と最小面積点Ｐ２との間に更新点Ｐ３を設ける。そして、これらの間を補間して、図８に破線で示されるようにマップを更新する。更新されたマップは、情報記憶部３３に格納され、それ以降の生コンの推定に用いられる。
【００６９】
このように、ミキサドラム２内に投入された生コン量が正確に把握できる場合にマップの更新を随時行うことで、ミキサドラム２内の生コン量の推定をより正確に行うことが可能となる。
【００７０】
なお、更新点Ｐ３としては、最大面積点Ｐ１と最小面積点Ｐ２との間に限定されず、最大面積点Ｐ１や最小面積点Ｐ２を更新するものであってもよい。また、計測生コン量Ｖｒが、最大面積点Ｐ１に相当する生コン量よりも少ない場合、カバー部材８が生コン表面６２から完全に露出した状態よりも生コン量が少ないおそれがあるため、マップの更新は行われない。同様に、計測生コン量Ｖｒが、最小面積点Ｐ２に相当する生コン量よりも多い場合、カバー部材８が生コンに完全に覆われた状態よりも生コン量が多いおそれがあるため、マップの更新は行われない。
【００７１】
上述の生コンクリート量推定装置１００による生コン量の推定は、ミキサドラム２の回転を停止させた状態で行うことが測定精度の観点からは好ましい。しかしながら、生コンの撹拌及び固化防止のためには、ミキサドラム２を回転させた状態で生コン量の推定を行うことが望ましい。
【００７２】
ここで、ミキサドラム２を回転させた場合、ミキサドラム２内の生コンはミキサドラム２の内周面に沿って持ち上げられ、この傾向は生コンのスランプ値が小さいほど顕著となる。このため、比較的スランプ値が小さい生コンが投入されたミキサドラム２を回転させた状態でカメラ２０により撮像すると、図９に示されるように、撮像画像６０中の生コンは、カバー部材８が設けられるミキサドラム２の中心側よりもミキサドラム２の内周面側に偏り、結果として露出領域６１の面積が大きくなる。つまり、ミキサドラム２内の生コン量が同じ場合であっても生コンのスランプ値が小さいほど露出領域６１の面積は大きくなる。反対に、生コンのスランプ値が大きいとミキサドラム２内の生コンはミキサドラム２の内周面に沿って持ち上げられにくくなる。このため、ミキサドラム２内の生コン量が同じ場合であっても生コンのスランプ値が大きいほど露出領域６１の面積が小さくなる。
【００７３】
このようなスランプ値の違いによる露出領域６１の面積の変化に対応するため、情報記憶部３３には、図１０に示されるように、スランプ値に応じたマップが格納される。図１０において一点鎖線で示されるマップはスランプ値が比較的小さい場合であり、二点鎖線で示されるマップはスランプ値が比較的大きい場合である。
【００７４】
このようにスランプ値に応じて異なるマップを有することによって、演算面積Ｓ１が同じであってもスランプ値の違いによって推定される推定生コン量Ｖ１１，Ｖ１２が異なる。この結果、ミキサドラム２を回転させた状態で生コン量の推定が行われる場合であってもミキサドラム２内の生コン量の推定をより精度よく推定することができる。
【００７５】
なお、スランプ値に応じたマップをそれぞれ情報記憶部３３に格納するのに代えて、スランプ値に応じた補正係数を情報記憶部３３に格納してもよい。この場合、図１０において実線で示される基準マップに基づいて推定された推定生コン量を、スランプ値に応じた補正係数によって補正することによりスランプ値に応じた推定生コン量が求められる。なお、演算に用いられるスランプ値は、入力部５０を介して作業者により入力された値であってもよいし、他の手法により演算されたスランプ値であってもよい。
【００７６】
続いて、図１１を参照し、生コンクリート量推定装置１００を用いた生コンクリート配送システム１１０について説明する。
【００７７】
生コンクリート配送システム１１０は、上述の生コンクリート量推定装置１００を備える複数のミキサ車１０Ａ〜１０Ｃを用いて、ミキサ車１０Ａ〜１０Ｃに生コンを投入する生コン工場１２０を起点として、複数の作業現場へ生コンを配送するシステムである。
【００７８】
生コン工場１２０には、各ミキサ車１０Ａ〜１０Ｃの生コンクリート量推定装置１００により推定された生コン推定量を受信する配送コントロール部１２２が設置されている。
【００７９】
配送コントロール部１２２は、予め入力された各作業現場における生コンの要求量と、各ミキサ車１０Ａ〜１０Ｃから送信される生コン推定量と、に基づき、各作業現場での生コン量の過不足を判定し、生コンが足りないと判定された作業現場へ生コンが余っているミキサ車を向かわせる指示や、不足分の生コンが投入されたミキサ車を新たに作業現場へ向かわせる指示を行う。
【００８０】
具体的には、第１作業現場に生コンを配送した第１ミキサ車１０Ａから送信された生コン推定量が第１作業現場の要求量に満たないと判定された場合であって、第２作業現場に生コンを配送した第２ミキサ車１０Ｂから送信された生コン推定量が第２作業現場の要求量よりも多く第１作業現場における不足分を充足可能と判定された場合には、第２ミキサ車１０Ｂを第１作業現場へ向かわせる指示を行う。
【００８１】
しかしながら、生コン工場１２０において第２ミキサ車１０Ｂに生コンが投入されてから第２ミキサ車１０Ｂが第１作業現場で生コンを排出するまでの時間がＪＩＳ（日本工業規格）で規定された時間（９０分）を超えることが予想される場合には、不足分の生コンが投入された第３ミキサ車１０Ｃを第１作業現場へ向かわせる指示を行う。
【００８２】
このように、生コンクリート量推定装置１００によって各ミキサ車１０Ａ〜１０Ｃの生コン量が正確に把握されていれば、生コンを無駄なく各作業現場へと配送させることが可能となる。
【００８３】
以上の第１実施形態によれば、以下に示す効果を奏する。
【００８４】
生コンクリート量推定装置１００では、ミキサドラム２内の生コン量の推定が、円錐状のカバー部材８の円錐面８ｂをカメラ２０の撮像方向に投影した投影円８ｃにおける露出領域６１の大きさに基づいて行われる。このように、生コンクリート量推定装置１００では、ミキサドラム２内の生コン量の推定に用いられる推定領域として、幾何学的に単純な形状であり画像処理において認識されやすい円形の領域が採用される。このため、推定領域を識別する画像処理時に生じる誤差が低減されるとともに、比較的低い処理能力を有するマイクロコンピュータであっても十分に推定領域を識別することが可能である。この結果、生コンクリート量推定装置１００の製造コストを上昇させることなく、ミキサドラム２内の生コン量の推定精度を向上させることができる。
【００８５】
また、複数のミキサ車１０のミキサドラム２内の生コン量を正確にすることにより、作業現場へ過不足なく効率的に生コンを配送することが可能となる。この結果、生コンの廃棄量が低減されるとともに、ミキサ車１０の配送効率が向上することで、生コンの製造コスト及び配送コストを低減させることができる。
【００８６】
＜第２実施形態＞
次に、図１２及び図１３を参照して、本発明の第２実施形態に係る生コンクリート量推定装置２００について説明する。以下では、上記第１実施形態と異なる点を中心に説明し、上記第１実施形態に係る生コンクリート量推定装置１００と同一の構成には同一の符号を付して説明を省略する。
【００８７】
上記第１実施形態では、撮像部は、ホッパーカバー６に取り付けられたカメラ２０であった。これに対して、第２実施形態に係る生コンクリート量推定装置２００では、撮像部が携帯型端末２１０に内蔵されたカメラ２０である点において、第１実施形態に係る生コンクリート量推定装置１００と相違する。
【００８８】
携帯型端末２１０は、図１３に示すように、背面に設けられた図示しないカメラ２０と、カメラ２０の撮像方向に光を照射する図示しない光源２２と、内部に設けられた図示しないコントローラ３０と、表示部４０と入力部５０とを兼ねる画面２２０と、を有する。携帯型端末２１０は、これらの機能を有するとともに、データ通信機能をさらに有する、いわゆるスマートフォンである。
【００８９】
携帯型端末２１０のカメラ２０，光源２２，コントローラ３０，表示部４０及び入力部５０は、上記第１実施形態に係る生コンクリート量推定装置１００のものと同様に作動するものであるため、その説明を省略する。なお、生コン量の推定やマップの作成及び更新を行うプログラムは、アプリケーションプログラムとして携帯型端末２１０に保存されている。また、携帯型端末２１０は、スマートフォンに限定されず、携帯電話やタブレット端末といった通信機能を有する種々の端末であってもよく、通信機能を有するカメラであってもよい。
【００９０】
携帯型端末２１０によってミキサドラム２の内部の撮像することにより、上記第１実施形態に係る生コンクリート量推定装置１００と同様にして、撮像画像６０からミキサドラム２内の生コン量を推定することができる。生コン量の推定結果は、携帯型端末２１０の画面２２０に表示されるとともに、生コン工場等へ送信される。また、携帯型端末２１０の画面２２０は、カメラ２０のファインダを兼ねており、画面２２０には、カメラ２０により撮像された撮像画像６０が表示される。
【００９１】
ここで、携帯型端末２１０によるミキサドラム２の内部の撮像は、作業者によって行われる。このため、上記第１実施形態に係る生コンクリート量推定装置１００のようにカメラ２０が固定されている場合と比較し、撮像画像６０に占めるカバー部材８、すなわち投影円８ｃの割合が撮像毎に変化してしまうおそれがある。このように、撮像画像６０に占める投影円８ｃの割合が変化してしまうと、露出領域６１の面積に基づき生コン量を推定することが困難となる。
【００９２】
このため、携帯型端末２１０によりミキサドラム２の内部を撮像する場合、画像処理部３１によって露出外縁８ｄから投影円８ｃと露出領域６１とを抽出し、推定部３２によって露出領域６１の面積を演算するとともに投影円８ｃの面積を演算する。推定部３２は、投影円８ｃの面積に対する露出領域６１の面積の割合である露出割合をさらに演算し、露出割合に相当するミキサドラム２内の生コンの量を求める。なお、この場合、情報記憶部３３には、露出領域６１の面積ではなく、上述の露出割合とミキサドラム２内の生コンの量との相関性を示すマップが予め格納される。
【００９３】
また、携帯型端末２１０のカメラ２０によりミキサドラム２の内部を撮像する場合、撮像画像６０に占める投影円８ｃの割合が小さすぎると、画像処理部３１による露出領域６１等の抽出が困難となる。このため、携帯型端末２１０のカメラ２０により撮像する際には、携帯型端末２１０の画面２２０に、投影円８ｃに相当するガイド円２２２を表示し、撮像画像６０に占める投影円８ｃの割合が所定の割合以上となるようにすることが好ましい。
【００９４】
以上の第２実施形態に係る生コンクリート量推定装置２００によれば、上記第１実施形態と同様の効果を奏する。
【００９５】
また、生コンクリート量推定装置２００では、ミキサドラム２内の撮像からミキサドラム２内の生コン量の表示までのミキサドラム２内の生コン量の推定において必要な一連の工程が携帯型端末２１０により行われる。このように、生コンクリート量推定装置２００では、カメラ２０や表示部４０等をミキサ車１０に組み付けることなく、携帯型端末２１０だけでミキサドラム２内の生コン量を容易に把握することができる。
【００９６】
また、携帯型端末２１０は、外部への通信機能も有しているため、生コン工場等において、各ミキサ車１０の生コン量及び位置を容易に把握することができる。
【００９７】
次のような変形例も本発明の範囲内であり、変形例に示す構成と上述の実施形態で説明した構成を組み合わせたり、上述の異なる実施形態で説明した構成同士を組み合わせたり、以下の異なる変形例で説明する構成同士を組み合わせることも可能である。
【００９８】
上記第１実施形態では、カメラ２０は、ホッパーカバー６に設けられ、ホッパーカバー６がホッパー４を閉じた状態において、ホッパー４内に収容されるものである。カメラ２０と生コンとの接触を防止するためには、カメラ２０はホッパーカバー６の裏側に設けられることが好ましいが、ミキサドラム２内を撮像可能であれば、その他の場所に設けられてもよい。
【００９９】
また、上記各実施形態では、画像処理部３１は、撮像画像６０を二値化処理した結果から推定領域を抽出している。これに対し、画像処理部３１は、撮像画像６０と、生コンが投入される前の空の状態のミキサドラム２内を撮像した画像（以下、「基準画像」と称する。）と、を比較した結果から推定領域を抽出してもよい。
【０１００】
具体的には、二値化処理された撮像画像６０と二値化処理された基準画像を比較して、２つの画像の差、特に投影円８ｃ内の暗部の差を露出領域６１として抽出することができる。基準画像は、予め空のミキサドラム２内を撮像し、情報記憶部３３に格納しておけばよい。
【０１０１】
また、上記各実施形態では、カメラ２０が撮像した単一の撮像画像６０から生コン量を推定している。これに対し、カメラ２０により連続して撮像された複数の撮像画像６０から生コン量を推定してもよい。例えば、複数の撮像画像６０それぞれから推定された生コン量を平均して、この平均値を推定結果として表示部４０に表示してもよい。また、複数の撮像画像６０それぞれから算出された露出領域６１の面積を平均して、平均した面積からマップを使用して生コン量を推定してもよい。このように、複数の撮像画像６０から生コン量を推定することにより、生コン量推定の精度を向上させることができる。
【０１０２】
また、上記各実施形態では、撮像画像６０を輝度によって二値化処理して推定領域を抽出している。これに代えて、例えば明度によって二値化処理するなど、その他の画像処理方法によって撮像画像６０から推定領域を抽出してもよい。
【０１０３】
以下、本発明の実施形態の構成、作用、及び効果をまとめて説明する。
【０１０４】
生コンクリート量推定装置１００，２００は、ミキサドラム２内を撮像可能なカメラ２０と、カメラ２０が撮像した撮像画像６０からミキサドラム２内の生コン量を推定するための露出領域６１を画像処理によって抽出する画像処理部３１と、画像処理部３１が抽出した露出領域６１に基づきミキサドラム２内の生コン量を推定する推定部３２と、を備え、画像処理部３１は、中心軸Ｃ２がミキサドラム２の回転軸Ｃ１と同軸となるようにミキサドラム２の底部に設けられる円錐状のカバー部材８の円錐面８ｂをカメラ２０の撮像方向に投影した投影円８ｃ内の領域を、撮像画像６０から露出領域６１として抽出する。
【０１０５】
この構成では、ミキサドラム２内の生コン量の推定が、円錐状のカバー部材８の円錐面８ｂをカメラ２０の撮像方向に投影した投影円８ｃにおける露出領域６１の大きさに基づいて行われる。このように、生コンクリート量推定装置１００では、ミキサドラム２内の生コン量の推定に用いられる推定領域として、幾何学的に単純な形状であり画像処理において認識されやすい円形の領域が採用される。このため、推定領域を識別する画像処理時に生じる誤差が低減されるとともに、比較的低い処理能力を有するマイクロコンピュータであっても十分に推定領域を識別することが可能である。この結果、生コンクリート量推定装置１００の製造コストを上昇させることなく、ミキサドラム２内の生コン量の推定精度を向上させることができる。
【０１０６】
生コンクリート量推定装置１００，２００は、露出領域６１の大きさとミキサドラム２内の生コン量との相関性を示すマップが記憶された情報記憶部３３をさらに備え、推定部３２は、マップを用いてミキサドラム２内の生コン量を推定する。
【０１０７】
この構成では、露出領域６１の大きさとミキサドラム２内の生コン量との相関性を示すマップを用いてミキサドラム２内の生コン量が推定される。このように、投影円８ｃにおける露出領域６１の大きさが演算されれば、予め設定されたマップを用いて容易に生コン量を推定することができる。
【０１０８】
また、生コンクリート量推定装置１００，２００は、ミキサドラム２内に投入された生コン量が入力される入力部５０をさらに備え、マップは、入力部５０に生コン量が入力されたときにカメラ２０により撮像された撮像画像６０から画像処理部３１により抽出された露出領域６１の大きさと、入力部５０に入力された生コン量と、に基づき更新される。
【０１０９】
この構成では、露出領域６１の大きさとミキサドラム２内の生コン量との相関性を示すマップは、入力された生コン量と、生コン量が入力された時の露出領域６１の大きさと、に基づき更新される。このように、ミキサドラム２内の生コン量の推定に用いられるマップは、ミキサ車１０毎に更新可能である。このため、ミキサドラム２の個体差に起因する誤差が低減され、結果として、ミキサドラム２内の生コン量の推定精度を向上させることができる。
【０１１０】
また、生コンクリート量推定装置１００，２００は、ミキサドラム２内に光を照射する光源２２をさらに備える。
【０１１１】
この構成では、光源２２によってミキサドラム２内に光が照射される。このため、ミキサドラム２内に明暗が生じ、露出領域６１を容易に識別することが可能となる。この結果、ミキサドラム２内の生コン量の推定精度を向上させることができる。
【０１１２】
また、ミキサ車１０は、生コンクリート量推定装置１００を備える。
【０１１３】
この構成では、ミキサ車１０が、上記構成の生コンクリート量推定装置１００を備える。このため、ミキサ車１０のミキサドラム２内の生コン量を低コストで精度よく容易に把握することができる。
【０１１４】
また、生コンクリート量推定方法は、カメラ２０により撮像されたミキサドラム２内の撮像画像６０を取り込む取り込みステップＳ１１と、取り込まれた撮像画像６０からミキサドラム２内の生コン量を推定するための露出領域６１を画像処理によって抽出する抽出ステップＳ１２と、抽出された露出領域６１からミキサドラム２内の生コン量を推定する推定ステップＳ１３と、を含み、抽出ステップＳ１２では、中心軸Ｃ２がミキサドラム２の回転軸Ｃ１と同軸となるようにミキサドラム２の底部に設けられる円錐状のカバー部材８の円錐面８ｂをカメラ２０の撮像方向に投影した投影円８ｃ内の領域が、撮像画像６０から露出領域６１として抽出される。
【０１１５】
生コンクリート量推定方法の抽出ステップＳ１２では、円錐状のカバー部材８の円錐面８ｂをカメラ２０の撮像方向に投影した投影円８ｃ内の領域が露出領域６１として抽出される。このように、生コンクリート量推定方法では、ミキサドラム２内の生コン量の推定に用いられる推定領域として、幾何学的に単純な形状であり画像処理において認識されやすい円形の領域が採用される。このため、推定領域を識別する画像処理時に生じる誤差が低減されるとともに、比較的低い処理能力を有するマイクロコンピュータであっても十分に推定領域を識別することが可能である。この結果、高価な画像処理システム等を用いることなく、ミキサドラム２内の生コン量の推定精度を向上させることができる。
【０１１６】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【０１１７】
１００，２００・・・生コンクリート量推定装置、２・・・ミキサドラム、８・・・カバー部材、８ｂ・・・円錐面、８ｃ・・・投影円（投影面）、１０・・・ミキサ車、２０・・・カメラ（撮像部）、２２・・・光源（光源部）、３１・・・画像処理部、３２・・・推定部、３３・・・情報記憶部、３４・・・作成更新部、４０・・・表示部、５０・・・入力部、６０・・・撮像画像、６１・・・露出領域（推定領域）、Ｃ１・・・回転軸、Ｃ２・・・中心軸
【図１】
2019025680.tif 000003
【図２】
2019025680.tif 000004
【図３】
2019025680.tif 000005
【図４】
2019025680.tif 000006
【図５】
2019025680.tif 000007
【図６】
2019025680.tif 000008
【図７】
2019025680.tif 000009
【図８】
2019025680.tif 000010
【図９】
2019025680.tif 000011
【図１０】
2019025680.tif 000012
【図１１】
2019025680.tif 000013
【図１２】
2019025680.tif 000014
【図１３】
2019025680.tif 000015